(57)【要約】      （修正有）【課題】設置場所の制約に合わせることが出来、価格を安価に出来、取り扱いが簡単で鴉、トビ、野犬等の食害を防ぐゴミ置き場用ゴミステーションを提供する。【解決手段】立方体の枠構造の収納枠１０と、前記収納枠を正面に見て、該収納枠の内側に収納され、上端が横棒部材１２ａで連結された左右の縦棒部材１２ｂ、１２ｃの其々の下端が前記収納枠正面の下辺近傍で該下辺方向の軸心回りに回動自在に設けられた外レバー１２と、上端が前記外レバーの横棒部材１２ａと平行な中間横棒部材１３ａで連結された左右の縦棒部材１２ｂ、１２ｃからなり、前記収納枠の側面視で、側面の略中央で前記下辺方向に平行な軸心回りに回動自在に構成された内レバー１３とで構成され、前記外レバーが回動して前記収納枠の外側の地面に接している状態で、前記外レバーと内レバーの其々の前記横棒部材及び縦棒部材で構成される内側の空間をゴミ収納空間１４として、該収納空間の周りをネットなど適宜遮蔽手段で覆って成る。【選択図】図４
0003198744.tif 000002
【実用新案登録請求の範囲】
【請求項１】
立方体の枠構造の収納枠１０と、前記収納枠を正面に見て、該収納枠の内側に収納され、上端が横棒部材１２ａで連結された左右の縦棒部材１２ｂ、１２ｃの其々の下端が前記収納枠正面の下辺近傍で該下辺方向の軸心回りに回動自在に設けられた外レバー１２と、上端が前記外レバーの横棒部材１２ａと平行な中間横棒部材１３ａで連結された左右の縦棒部材１２ｂ、１２ｃからなり、前記収納枠の側面視で、側面の略中央で前記下辺方向に平行な軸心回りに回動自在に構成された内レバー１３とで構成され、前記外レバーが回動して前記収納枠の外側の地面に接している状態で、前記外レバーと内レバーの其々の前記横棒部材及び縦棒部材で構成される内側の空間を収納枠内のゴミ収納空間１４として、該ゴミ収納空間外レバー内側の収納空間１５の周りをネットなど適宜遮蔽手段で覆って成ることを特徴とするゴミステーション。
【考案の詳細な説明】
【技術分野】
【０００１】  本考案は、枠構造と防護ネットを組み合わせたゴミステーションに関する。
【背景技術】
【０００２】  従来から町内のゴミは指定された集積場に集められるが、集積場所に置かれたゴミが鴉やトビ、野犬等にゴミ袋を食い破られ、ゴミ袋内の残余物、容器等が周囲に散乱するため、非衛生的になるとともに、住宅、道路等の美観が損なわれ環境悪化を招くこととなり、社会問題化している。【０００３】  しかしながら、従来ゴミ収集はスペースのある場所ではゴミ箱を設置したり、スペースのない場所では防護ネット等で覆いをするか、折り畳みのゴミ箱を収集日に設置し収集業者が集めていくのが一般的である、一方これらの問題に対する解決策として種々の提案がなされている、例えば、特許文献１の「ゴミ袋に被せるカラス撃退ネット」（特開２００５−２７２１４１）、特許文献２の「鳥獣害侵入防止ネット装置」（登実３０６１９８８）のようなネット方式が開示されているが、これらのネット方式ではネットをゴミ袋への被覆、ゴミ袋収集員の収納作業及びネットの撤収作業等が煩瑣であり、又鴉は網目の間から、ゴミ袋を食い破り袋内の残余物をあさったり、ネットを数羽で持ち上げてネット内よりゴミ袋を引き出し食い荒らす等、その対応方法は進化しているため有効な解決策とはなっていない、のみならずネットの耐久性と経済性にも問題があるという欠点があった。【０００４】  特許文献３「ごみ集積シェルター」（特開２００６−２１３５１４）は軽量部材を用い開閉する骨組み部材にネットを組合わせ、骨組み部材が扇形に開閉し、取り付けたネットが一瞬にして箱型を形成するものであるが、この方式ではゴミ袋への被覆、ゴミ袋収集員の収集作業及びシェルターの撤収作業が煩瑣であることに加え高価なことから盗難対策として毎回収納する必要があるという欠点があった。
【先行技術文献】
【特許文献】
【０００５】
【特許文献１】特開２００５−２７２１４１号公報
【特許文献２】登録実用新案第３０６１９８８号公報
【特許文献３】特開２００６−２１３５１４号公報
【考案の概要】
【考案が解決しようとする課題】
【０００６】  本考案は、以上のような従来の欠点に鑑み、設置場所が小さくて済む、価格を安価にできる、ゴミの出し入れが簡単である、使う度に設置する必要がない、自然災害や盗難防止、不法投棄への対策を軽減できるゴミステーションを提供することを目的としている。
【課題を解決しようとする手段】
【０００７】  立方体の枠構造の収納枠１０と、前記収納枠を正面に見て、該収納枠の内側に収納され、上端が横棒部材１２ａで連結された左右の縦棒部材１２ｂ、１２ｃの其々の下端が前記収納枠正面の下辺近傍で該下辺方向の軸心回りに回動自在に設けられた外レバー１２と、上端が前記外レバーの横棒部材１２ａと平行な中間横棒部材１３ａで連結された左右の縦棒部材１２ｂ、１２ｃからなり、前記収納枠の側面視で、側面の略中央で前記下辺方向に平行な軸心回りに回動自在に構成された内レバー１３とで構成され、前記外レバーが回動して前記収納枠の外側の地面に接している状態で、前記外レバーと内レバーの其々の前記横棒部材及び縦棒部材で構成される内側の空間を収納枠内のゴミ収納空間１４として、該ゴミ収納空間外レバー内側の収納空間１５の周りをネットなど適宜遮蔽手段で覆って成ることを特徴とするゴミステーション。
【考案の効果】
【０００８】  以上の説明から、本考案にあっては次に列挙した効果が得られる。
（１）（請求項１の構成要件）とで構成されているので、ゴミを集積し、ゴミ被覆材にて被覆することができる。
【図面の簡単な説明】
【０００９】
【図１】本考案の正面図である。
【図２】本考案の背面図である。
【図３】本考案の側面図である。
【図４】本考案使用時の側面図である。
【図５】本考案使用時の平面図である。
【図６】本考案を使用していない時の側面図である。
【考案を実施するための形態】
【００１０】  以下、本考案の実施の形態を図に基づいて説明する。
【実施例１】
【００１１】  図１は本考案の正面図であり、本考案は収納枠１０と外レバー１２と内レバー１３を備えている。【００１２】  図２は本考案の背面図であり、収納枠１０と収納枠被覆材１６で構成されている。【００１３】  図３は本考案の側面図であり、収納枠１０は左右縦棒部材１２ｂ、１２ｃ、横棒部材１２ａ、中間横棒部材１３ａより構成され、収納枠を正面に見て該収納枠の内側に収納され、上端が横棒部材１２ａで連結された左右の縦棒部材１２ｂ、１２ｃの其々の下端が前期収納枠正面の下辺近傍で、該下辺後方の軸心回りに回動自在に設けられた外レバー１２と、上端が前記外レバーの横棒部材１２ａと平行な中間横棒部材１３ａで連結された左右の縦棒部材１２ｂ、１２ｃの前期収納枠１０の側面視で、側面の略中央で前記下辺方向に平行な軸心回りに回動自在に構成された内レバー１３とで構成されている。【００１４】  図４は本考案使用時の側面図であり、内レバー１３は収納枠内前面まで回動し、外レバー１２は収納枠前面の外側の地面に接している状態に回動することによりゴミを覆うことができる。【００１５】  図５は本考案使用時の平面図であり、内レバー１３と外レバー１２に張られたゴミ被覆材１７が下りて、ゴミを覆うことができる。【００１６】  図６は本考案を使用していない時の側面図であり、収納枠内に、内レバー１３、ゴミ被覆材１７、外レバー１２が収納されている状態である。【００１７】  本考案は図１から図６の形態に限定されることなく、実用新案請求の範囲に記載された新案の範囲内で、種々の変更が可能であり、それらも本実用新案の範囲内に包括されるものである。
【産業上の利用可能性】
【００１８】  本考案は、ゴミステーションを製造する産業で利用される。
【符号の説明】
【００１９】１０  収納枠
１２  外レバー
１２ａ  横棒部材
１２ｂ  左縦棒部材
１２ｃ  右縦棒部材
１３  内レバー
１３ａ  中間横棒部材
１４  収納枠内のゴミ収納空間
１５  ゴミ被覆材内のゴミ収納空間
１６  収納枠被覆材
１７  ゴミ被覆材
【図１】
0003198744.tif 000003
【図２】
0003198744.tif 000004
【図３】
0003198744.tif 000005
【図４】
0003198744.tif 000006
【図５】
0003198744.tif 000007
【図６】
0003198744.tif 000008